(57)【特許請求の範囲】
【請求項１】
複数のエレベータが１つのグループとして存在するバンク毎に乗り場から行先階が登録可能で、かつ、利用者によって選択された情報又は利用者に向けて発信される情報を案内し報知部を有する行先階登録装置と、入力された行先階及び前記行先階登録装置の設置階情報に基づき、最適なエレベータを選択する運行管理制御系を有する群管理制御システムと、前記行先階登録装置と前記群管理制御システムとの間で情報のやり取りを行うインタフェースシステムとを備えたエレベータ装置であって、
前記行先階登録装置は、該行先階登録装置が受け持つ前記バンクの情報を設定する受持ちバンク情報設定部と、利用者によって前記行先階登録装置に入力された情報と前記受持ちバンク情報設定部によって設定された情報が異なる際に、利用者に対して前記行先階登録装置が受持つバンクが異なることを案内するバンク案内表示部とを備え、
前記バンク案内表示部は、利用者によって前記行先階登録装置に入力された情報と前記受持ちバンク情報設定部によって設定された情報が異なる際に、利用者によって前記行先階登録装置に入力された情報に対応する正しいバンクを示す記号を案内することを特徴とするエレベータ装置。
【請求項２】
前記行先階登録装置は、テンキー装置或いは利用者が所持しているタグ及び情報端末からの入力情報を読み取る入力情報読取部を更に備えていることを特徴とする請求項１に記載のエレベータ装置。
【請求項３】
前記インタフェースシステムは、前記行先階登録装置と前記群管理制御システムとの間で行先階情報のやり取りを行う行先階情報受信部及び行先階情報送信部と、前記群管理制御システムからの制御情報に基づいて前記報知部の画面表示を切り替える入力画面表示情報切替部と、前記群管理制御システムからの制御情報に基づいて前記報知部のバンク情報を制御するバンク情報送信部と、前記群管理制御システムからの制御情報に基づいて前記報知部の割当情報を制御する割当情報送信部とを備えていることを特徴とする請求項２に記載のエレベータ装置。
【請求項４】
前記群管理制御システムは、運行管理制御系を有し、該運行管理制御系は、予め登録されたデータテーブルに基づいてバンク情報の送信を行うバンク情報送信部と、行先階入力処理部と、行先階登録処理部と、割当号機選択処理部と、割当号機送信処理部とを備えていることを特徴とする請求項３に記載のエレベータ装置。
【請求項５】
前記情報は、前記バンクがサービスしている階床情報、或いは前記バンクの表示名のいずれか１つを含むことを特徴とする請求項４に記載のエレベータ装置。
【請求項６】
前記バンク案内表示部には、利用者が前記行先階登録装置を操作しているバンク現在位置と前記正しいバンク位置及び正しいバンクを示す記号が表示されていることを特徴とする請求項１に記載のエレベータ装置。
【請求項７】
前記群管理制御システムは、前記行先階登録装置の前記受持ちバンク情報設定部の必要な情報を送信し、前記群管理制御システムから前記行先階登録装置の設定を行うことを特徴とする請求項１又は４に記載のエレベータ装置。
【請求項８】
前記行先階登録装置は、利用者によって入力された情報から該行先階登録装置の受け持つバンクであると認識した後に、行先階入力画面へ切り替えることを特徴とする請求項１又は２に記載のエレベータ装置。
【請求項９】
前記行先階登録装置は、利用者によって入力された情報から該行先階登録装置の受け持つバンクであると認識した後に、前記バンクの最下階から最上階の範囲であるサービス階床群のみを表示する行先階入力画面へ切り替えることを特徴とする請求項１又は２に記載のエレベータ装置。
【請求項１０】
前記群管理制御システムは、前記行先階登録装置の前記受持ちバンク情報設定部の必要な情報を送信し、前記群管理制御システムから前記行先階登録装置の設定を行うことを特徴とする請求項１又は４に記載のエレベータ装置。
【発明の詳細な説明】
【技術分野】
【０００１】
本発明はエレベータ装置に係り、特に、複数のエレベータが１つのグループとして存在するバンク毎に乗り場から行先階が登録可能な行先階登録装置を備えているものに好適なエレベータ装置に関する。
【背景技術】
【０００２】
本技術分野に関連するエレベータ装置として、特許文献１に記載されたものがある。
【０００３】
この特許文献１には、エレベータ装置の運行を管理制御する運行管理装置から得たかご位置に関する情報である運行データを信号処理装置から読み出して入力し、エレベータ装置のかご位置に関する情報を表す運行線図を出力するエレベータの運行状況出力装置が記載されている。
【０００４】
即ち、上記エレベータの運行状況出力装置は、乗り場に設置された操作盤によって行先階が指定可能で、かつ、かご乗り込み後のかご内での行先階が指定不可であり、運行データは、かご状態データ、呼び状態データ及び待ち人数データを含むデータから構成され、かご状態データはかごの位置及び方向を含み、呼び状態データは行先階予約呼び発生時刻及び方向別階床毎の行先階予約呼び割り当て状況を含み、待ち人数データは発生階及び行先階別の待ち人数増減した時点の時刻を含み、運行線図は建物の各階床の乗り場に設置された操作盤の操作による行先階予約と操作の発生時刻を含む各階床の乗り場での待ち人数の情報を表示形態とし、更に、各階床の乗り場で待ち人数が有りのときには、行先階予約を最初に操作した時点からの待ち時間を数値で表示する表示形態とし、待ち人数の情報は、各階床の乗り場で行先階別にした待ち人数の情報を表示形態とするものである。
【先行技術文献】
【特許文献】
【０００５】
【特許文献１】特開２０１１−１３２０１７号公報
【発明の概要】
【発明が解決しようとする課題】
【０００６】
しかしながら、上述した特許文献１に記載されたエレベータ装置では、バンク数が増加した構成の場合、不慣れな利用者がどのバンクの行先階登録装置から予備登録を行えばよいか分からず、戸惑ってしまうという課題があった。
【０００７】
本発明は上述の点に鑑みなされたもので、その目的とするところは、バンク数が増加して正しいバンクが分からないときでも、利用者を正しいバンクへと案内することができるようにしたエレベータ装置を提供することにある。
【課題を解決するための手段】
【０００８】
本発明のエレベータ装置は、上記目的を達成するために、複数のエレベータが１つのグループとして存在するバンク毎に乗り場から行先階が登録可能で、かつ、利用者によって選択された情報又は利用者に向けて発信される情報を案内し報知部を有する行先階登録装置と、入力された行先階及び前記行先階登録装置の設置階情報に基づき、最適なエレベータを選択する運行管理制御系を有する群管理制御システムと、前記行先階登録装置と前記群管理制御システムとの間で情報のやり取りを行うインタフェースシステムとを備えたエレベータ装置であって、前記行先階登録装置は、該行先階登録装置が受け持つ前記バンクの情報を設定する受持ちバンク情報設定部と、利用者によって前記行先階登録装置に入力された情報と前記受持ちバンク情報設定部によって設定された情報が異なる際に、利用者に対して前記行先階登録装置が受持つバンクが異なることを案内するバンク案内表示部とを備え、前記バンク案内表示部は、利用者によって前記行先階登録装置に入力された情報と前記受持ちバンク情報設定部によって設定された情報が異なる際に、利用者によって前記行先階登録装置に入力された情報に対応する正しいバンクを示す記号を案内することを特徴とする。
【発明の効果】
【０００９】
本発明によれば、バンク数が増加して正しいバンクが分からないときでも、利用者を正しいバンクへと案内することができる。
【図面の簡単な説明】
【００１０】
【図１】本発明のエレベータ装置の実施例１の概略構成を示すブロック構成図である。
【図２】本発明のエレベータ装置の実施例１におけるバンク構成を示す平面図である。
【図３】本発明のエレベータ装置の実施例１におけるバンク情報送信部に格納されたバンク情報のデータテーブルを示す図である。
【図４】本発明のエレベータ装置の実施例１における入力受付処理を示すフローチャートである。
【図５】本発明のエレベータ装置の実施例１における入力受付処理を実施したときの乗り場行先階登録装置の例を示す平面図である。
【図６】本発明のエレベータ装置の実施例２における入力受付処理を実施したときの乗り場行先階登録装置の例を示す平面図である。
【図７】本発明のエレベータ装置の実施例３における入力受付処理を実施したときの乗り場行先階登録装置の例を示す平面図である。
【発明を実施するための形態】
【００１１】
以下、図示した実施例に基づいて本発明のエレベータ装置を説明する。なお、各図において同一構成部品には同符号を使用する。
【実施例１】
【００１２】
図１に、本発明のエレベータ装置の実施例１のブロック構成図を示す。
【００１３】
該図に示す如く、本実施例のエレベータ装置は、複数のエレベータが１つのグループとして存在するバンク毎に乗り場から行先階が登録可能で、かつ、利用者によって選択された情報又は利用者に向けて発信される情報を案内する報知部０１４を有する乗り場行先階登録装置０１０と、入力された行先階及び乗り場行先階登録装置０１０の設置階情報に基づき、最適なエレベータを選択、即ち、乗り場行先階登録装置０１０による行先階登録に従って号機割当を行うと共に、各号機を号機制御装置０３０を通して群管理制御を行う運行管理制御系０５０を有する群管理制御システム０４０と、乗り場行先階登録装置０１０と群管理制御システム０４０との間で情報のやり取りを行うインタフェースシステム０２０とを備えて構成されている。
【００１４】
上述した乗り場行先階登録装置０１０はビルの乗り場等に設置され、乗り場行先階登録装置０１０が受け持つバンクの情報を設定する受持ちバンク情報設定部０１２と、利用者によって乗り場行先階登録装置０１０に入力された情報及び受持ちバンク情報設定部０１２によって設定された情報が異なる際に、利用者に対して乗り場行先階登録装置０１０が受持つバンクが異なることを案内するバンク案内表示部０１３と、テンキー装置００１や利用者が所持しているタグやカードなどの情報媒体から予め登録したＩＤ情報を読み込むタグ及び情報端末００２と、入力情報を読み取る入力情報読取部０１１とを更に備えて構成されている。
【００１５】
また、インタフェースシステム０２０はエレベータ装置の機械室にあり、乗り場行先階登録装置０１０と群管理制御システム０４０との間で行先階情報のやり取りを行う行先階情報受信部０２１及び行先階情報送信部０２２と、群管理制御システム０４０からの制御情報に基づいて報知部０１４の画面表示を切り替える入力画面表示情報切替部０２３と、群管理制御システム０４０からの制御情報に基づいて報知部０１４のバンク情報を制御するバンク情報送信部０２４と、群管理制御システム０４０からの制御情報に基づいて報知部０１４の割当情報を制御する割当情報送信部０２５とを備えて構成されている。
【００１６】
また、群管理制御システム０４０はエレベータ装置の機械室にあり、通常構成の他に学習系０６０及び知能系０７０を備えた運行管理制御系０５０を有しており、運行管理制御系０５０は、予め登録されたデータテーブルに基づいてバンク情報の送信を行うバンク情報送信部０５１と、行先階入力処理部０５２と、行先階登録処理部０５３と、割当号機選択処理部０５４と、割当号機送信処理部０５５とを備えて構成されている。
【００１７】
図２は、本実施例のエレベータ装置におけるバンク構成を示す平面図である。
【００１８】
該図に示す本実施例では、エレベータ装置の各号機０３１は３バンク構成にされており、第１のバンクＡのサービス階は１階、２〜１０階であり、第２のバンクＢのサービス階は１階、１１〜２０階であり、第３のバンクＣのサービス階は１階、２１〜３０階として示している。
【００１９】
そして、第１のバンクＡでは、４台の乗り場行先階登録装置０１０によって行先階登録を受け付けており、第２のバンクＢでも４台の乗り場行先階登録装置０１０によって行先階登録を受け付けており、第３のバンクＣでも４台の乗り場行先階登録装置０１０によって行先階登録を受け付けている。これらの各乗り場行先階登録装置０１０は同一構成である。
【００２０】
ところで、このように複数のバンク構成であると、不慣れな利用者は、どのバンクへ行けばよいのか戸惑うことがある。以下に、この対策について説明する。
【００２１】
図３は、図１に示すバンク情報送信部０５１に格納されたバンク情報のデータテーブルを示している。
【００２２】
該図に示すデータテーブルでは、バンク数が３バンク構成であることを示し、乗り場行先階登録装置０１０の該当バンクは、現在操作されている乗り場行先階登録装置０１０がバンク「１」に所属していることを示している。また、バンク１の表示名は画面に表示するときの表示名が「Ａ」であり、バンク２の表示名は画面に表示するときの表示名が「Ｂ」であり、バンク３の表示名は画面に表示するときの表示名が「Ｃ」であることを示している。
【００２３】
バンク１の最下階は、バンク１がサービスしている階床の最下階が「２階」、バンク１の最上階は、バンク１がサービスしている階床の最上階が「１０階」であることを示している。同様にバンク２の最下階は、バンク２がサービスしている階床の最下階が「１１階」、バンク２の最上階は、バンク２がサービスしている階床の最上階が「２０階」であることを示し、バンク３の最下階は、バンク３がサービスしている階床の最下階が「２１階」、バンク３の最上階は、バンク３がサービスしている階床の最上階が「３０階」であることを示している。図３に示すバンク情報送信部０５１には、この種のデータテーブルが複数格納されている。
【００２４】
なお、本実施例におけるサービスとは、エレベータ利用者が希望する階に停止することを言う。
【００２５】
図４は、上述したエレベータ装置における入力受付処理を示すフローチャートである。
【００２６】
該図に示すように、先ず、利用者が乗り場行先階登録装置０１０によって操作を行うと、入力受付処理が開始される。報知部０１４は入力画面表示情報切替部０２３によってバンク入力画面となっており、利用者に対して利用するバンクについての情報を入力するように促している。
【００２７】
利用者が、バンク入力画面に従って利用バンク情報を入力すると、行先階情報送信部０２２を通して群管理制御システム０４０のバンク情報送信部０５１へ送信される。バンク情報送信部０５１では、操作された乗り場行先階登録装置０１０に対応するデータテーブルを取り出し、ステップＳ０で操作された入力バンクが、その操作された乗り場行先階登録装置０１０が受け持つバンクの情報を設定する受持ちバンク情報設定部０１２に設定されたバンクと一致するかを判定する。
【００２８】
利用者が不慣れであり、しかも、操作中のバンクと利用者が設定したバンクが一致しないときは、ステップＳ４で、入力画面表示情報切替部０２３を通して報知部０１４のバンク入力画面からバンク案内表示部０１３のバンク案内表示画面へと切り替えて表示し、正しい利用バンクへの案内表示を行い利用者の移動を促す。
【００２９】
一方、操作中のバンクと利用者が設定したバンクが一致した場合は、さらなる確認を行うためにステップＳ１で、報知部０１４のバンク入力画面から行先階入力画面へと切り替えて表示する。この行先階入力画面によって、今度は利用者に自分の行先階を入力するように促す。そこで、利用者は、この行先階入力画面表示に従って自分の行先階を入力することになる。
【００３０】
この行先階入力に基づいてバンク情報送信部０２４は、ステップＳ２で入力された行先階が当該バンクの受け持つサービス階かどうかを判定する。この判定によって、入力階床が受け持ちサービス階と一致した場合、行先階情報送信部０２２は、ステップＳ３で行先階情報を群管理制御システム０４０の行先階入力処理部０５２に送信する。
【００３１】
一方、ステップＳ２の判定で、入力された行先階が当該バンクの受け持つサービス階と一致しない場合は、ステップＳ４で、入力画面表示情報切替部０２３を通して報知部０１４のバンク入力画面をバンク案内表示部０１３のバンク案内表示画面に切り替えて、正しい利用バンクへの案内表示を行い利用者の移動を促す。
【００３２】
図５は、本実施例における入力受付処理を実施したときの乗り場行先階登録装置０１０の例、即ち、上述した処理による表示切り替えを示す乗り場行先階登録装置０１０の平面図を示す。
【００３３】
上述した如く、乗り場行先階登録装置０１０は、報知部０１４を構成するタッチパネル式のテンキー装置００１とタグ及び情報端末００２とを有している。報知部０１４は、定常状態における最初のバンク入力画面０８０となっており、このバンク入力画面０８０では、バンクＡ、バンクＢ、バンクＣなどのバンク別表示となっている。
【００３４】
利用者は、バンク入力画面０８０から自分が利用する階床に対応するバンク別表示をタッチして選択する。この選択操作が行われると、図４のステップＳ０で示したように、入力操作された乗り場行先階登録装置０１０が配置された現在の利用バンクが、行き先階をサービスしているバンクと一致するかどうかが判定される。
【００３５】
ここで、不慣れな利用者は、自分が利用するバンクを正しく識別することができず、どのバンクを利用して行先階へ向かうのか戸惑いながら、適当と思える乗り場行先階登録装置０１０を操作したとする。
【００３６】
例えば、バンク入力画面０８０の中から利用するバンクとしてバンクＣを選択した場合、当該乗り場行先階登録装置０１０で操作したバンクＡとバンクとが不一致と判定される。この場合には、報知部０１４は、バンク入力画面０８０から図５の最終部（右側）に示したバンク案内表示画面０８２に切り替えられる。
【００３７】
図５の最終部（右側）に示したバンク案内表示画面０８２には、利用者が乗り場行先階登録装置０１０を操作しているバンクＡのバンク現在位置０８３と、行先階に対応する正しいバンクＣのバンク位置０８４と、正しいバンクＣの記号表示０８５などが表示することができる。
【００３８】
不慣れな利用者は、このバンク案内表示画面０８２を見て間違いに気づき、図示の位置関係から自分の行先階に対応した正しいバンクへと容易に移動することができ、そのバンクに対応する乗り場行先階登録装置０１０から呼び登録を行うことになる。
【００３９】
ところで、上述した不慣れな利用者が乗り場行先階登録装置０１０から登録操作を行ったとき、操作中のバンクと利用バンクとが偶然に一致することも考えられる。
【００４０】
この場合は、上述した判定で操作中のバンクと利用バンクとが一致するため、報知部０１４では、バンク入力画面０８０から図５の中央部に示した行先階入力画面０８１に切り替えられる。
【００４１】
図５の中央部に示した行先階入力画面０８１は、数字ボタンが配列されたもので、行先階の階床数字を入力するように促すものである。
【００４２】
例えば、利用者は、この行先階入力画面０８１を見て、自分の行先階である「２０」を入力したとする。この入力に対して、図４のステップＳ２に示すように、行先階の入力数字「２２」と当該バンク「Ｂ」が一致するかどうかが判定される。
【００４３】
その結果、操作中のバンク「Ｂ」と行先階「２０」とが対応しないため、報知部０１４では行先階入力画面０８１からバンク案内表示画面０８２に切り替えられる。
【００４４】
このバンク案内表示画面０８２には、上述したように、利用者が操作している乗り場行先階登録装置０１０が配置されているバンク現在位置０８３と、バンク現在位置０８３との位置関係を表す正しいバンク位置０８４と、正しいバンクナンバーを表示した正しいバンクのバンク記号表示０８５などが表示されている。
【００４５】
このバンク案内表示画面０８２を見た利用者は、間違いに気づき、図示の位置関係から自分の行先階「２２」に対応した正しいバンク「Ｃ」へと容易に移動することができ、そのバンク「Ｃ」に対応する乗り場行先階登録装置０１０から呼び登録を行うことができる。
【００４６】
このように不慣れな利用者であっても、乗り場では、先ず、行先階の登録を行うというタイミングを利用して、効果的にバンクの案内を行うことができる。このため、利用者にとっては、非常に使い勝手がよい乗り場行先階登録装置０１０となる。
【００４７】
一方、慣れた利用者が正しくバンクを選択して乗り場行先階登録装置０１０から正しく登録操作を行った際には、慣れた利用者は、自分が利用するバンクを正しく識別することができるので、図４のステップＳ０で示したように、入力された操作中のバンクがサービスしているバンクと一致していると判定される。
【００４８】
そのため、報知部０１４は、バンク入力画面０８０から図４の中央部に示した行先階入力画面０８１に切り替えられる。利用者は、この行先階入力画面０８１を見て、自分の行先階である数字を入力する。
【００４９】
この入力に対して、図４のステップＳ２に示すように、行先階の入力数字と当該バンクが一致するかどうかを判定する。その結果、選択したバンクと行先階とが対応するので、ふさわしい登録が行われたと判定して、図４に示すステップＳ３の処理に移行し、通常の場合と同様に、群管理制御システムの割当号機選択処理部０５４において割当号機選択処理が行われる。
【００５０】
その後、割当号機送信処理部０５５からインタフェースシステム０２０を介して報知部０１４に号機情報が送信される。報知部０１４では、例えば、図４に示す行先階入力画面０８１から通知画面に切り替えられて割り当てられた号機が表示される。
【００５１】
このように本実施例のエレベータ装置は、乗り場行先階登録装置０１０に、利用者によって利用するバンクが選択されることになるバンク入力画面０８０と、バンク入力画面０８０での操作によって選択されたバンクと、乗り場行先階登録装置０１０が受け持つバンクとが異なるときに、バンク入力画面０８０から切り替えて正しいバンク位置を示すバンク案内表示画面０８２を表示可能な報知部０１４を備えているため、不慣れな利用者であっても、バンク案内表示画面０８２を見て正しいバンクへと案内することができる。
【００５２】
従って、本実施例によれば、バンク数が増加して正しいバンクが分からないときでも、利用者を正しいバンクへと案内することができる。
【実施例２】
【００５３】
図６は、本発明のエレベータ装置の実施例２における入力受付処理を実施したときの乗り場行先階登録装置の例を示す平面図である。
【００５４】
図６に示す本実施例でのバンク入力画面０８０は、図５の場合と同じであり、入力を行った操作バンクが当該バンクと一致する場合は、報知部０１４ではバンク入力画面０８０から行先階入力画面０８１へと切り替えられる。
【００５５】
本実施例での行先階入力画面０８１は実施例１と異なり、バンク入力画面０８０で選択したバンクがサービスしている階床のみを表示している。
【００５６】
従って、バンクを正しく選択した利用者にとっては、行先階入力画面０８１での行先階の選択は絞られており、行先階の数字入力は一層簡単で操作しやすくなる。
【００５７】
このような本実施例でも、数字入力した行先階と、当該バンクでサービスしている階が不一致の場合は、報知部０１４ではバンク案内表示画面０８２に切り替えられる。このバンク案内表示画面０８２は実施例１の場合と同様で、バンク現在位置０８３と、正しいバンク位置０８４と、正しいバンクナンバーを表示した正しいバンクのバンク記号表示０８５とが表示されている。
【００５８】
よって、不慣れな利用者であっても、このバンク案内表示画面０８２を見てバンクの位置関係を示した図から間違いに気づき、自分の行先階に対応した正しいバンクへと容易に移動することができ、そのバンクに対応する乗り場行先階登録装置０１０から呼び登録を行うことができる。
【００５９】
従って、本実施例のような構成であっても、実施例１と同様な効果を得ることができる。
【実施例３】
【００６０】
図７は、本発明のエレベータ装置の実施例３における入力受付処理を実施したときの乗り場行先階登録装置の例を示す平面図である。
【００６１】
本実施例は実施例１及び２とは異なり、テンキー装置００１の上部表示部に、バンク入力画面０８６、行先階入力画面０８７、バンク案内表示画面０８８を切り替え表示できるようにし、テンキー装置００１の下部表示部は、各画面で共通の数字ボタン入力部となっている。
【００６２】
バンク入力画面０８６には、バンク数（１、２、３の３バンク）とサービス階（２〜１０階、１１〜２０階、２１〜３０階）を併記したバンク情報が示されており、行先階入力画面０８７には、利用者が入力した行先階の数字（「２２」）が表示されるようにしている。また、バンク案内表示画面０８８には、現在操作しているバンク現在位置（「Ａ」）と、バンク現在位置との位置関係を示した正しいバンク位置（「Ｃ」）などを表示している。
【００６３】
このような本実施例の構成とすると、図１に示した乗り場行先階登録装置０１０とテンキー装置００１及びタグ及び情報端末００２を、一体的に構成することができるだけでなく、切り替え表示を行う部分を制限して効率的な案内を行うことができる。
【００６４】
本実施例においても、数字入力した行先階と、当該バンクでサービスしている階が不一致の場合は、報知部０１４では実施例１及び２と同様なバンク案内表示画面０８２へと切り替えられる。
【００６５】
このバンク案内表示画面０８２には、実施例１及び２と同様でバンク現在位置０８３と、正しいバンク位置０８４と、正しいバンクナンバーを表示した正しいバンクのバンク記号表示０８５などが表示されている。
【００６６】
よって、不慣れな利用者であっても、このバンク案内表示画面０８２を見てバンクの位置関係を示した図から間違いに気づき、自分の行先階に対応した正しいバンクへと容易に移動することができる。
【００６７】
よって、本実施例のような構成であっても、実施例１及び２と同様な効果を得ることができる。
【００６８】
なお、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００６９】
００１…テンキー装置、００２…情報端末、０１０…乗り場行先階登録装置、０１１…入力情報読取部、０１２…受持ちバンク情報設定部、０１３…バンク案内表示部、０１４…報知部、０２０…インタフェースシステム、０２１…行先階情報受信部、０２２…行先階情報送信部、０２３…入力画面表示情報切替部、０２４…バンク情報送信部、０２５…割当情報送信部、０３０…号機制御装置、０３１…各号機、０４０…群管理制御システム、０５０…運行管理制御系、０５１…バンク情報送信部、０５２…行先階入力処理部、０５３…行先階登録処理部、０５４…割当号機選択処理部、０５５…割当号機送信処理部、０６０…学習系、０７０…知能系、０８０、０８６…バンク入力画面、０８１、０８７…行先階入力画面、０８２、０８８…バンク案内表示画面、０８３…バンク現在位置、０８４…正しいバンク位置、０８５…正しいバンクのバンク記号表示。
【図１】
0006480373.tif 000002
【図２】
0006480373.tif 000003
【図３】
0006480373.tif 000004
【図４】
0006480373.tif 000005
【図５】
0006480373.tif 000006
【図６】
0006480373.tif 000007
【図７】
0006480373.tif 000008